(57)【特許請求の範囲】
【請求項１】
相手ハウジングに嵌合可能なサブハウジングと、このサブハウジングが内部に収容されるフレームと、このフレームと前記サブハウジングとの間に設けられ前記サブハウジングの前記相手ハウジングとの嵌合面を前記相手ハウジングとの嵌合方向と直交する平面方向に移動可能に配置させる調心手段とを備えたコネクタであって、
前記調心手段は、前記サブハウジングと前記フレームとのうちいずれか一方に設けられ前記相手ハウジングと前記サブハウジングとの嵌合方向と直交する平面方向の全域に向けて突出されたフランジ部と、前記サブハウジングと前記フレームとのうち他方に設けられ前記フランジ部が収容されて底部が前記フランジ部の外径と離間して対向し、前記底部の両側に立設された両側壁のいずれかが前記サブハウジングが前記相手ハウジングとの嵌合方向或いは嵌合解除方向に移動しようとするとき前記フランジ部の両面のいずれかと当接される収容溝とを有し、
前記フレームは、前記サブハウジングが収容されるフレーム本体と、このフレーム本体に組付けられ前記サブハウジングを保持するカバー部材とを有し、
前記カバー部材には、前記サブハウジングの前記相手ハウジングとの嵌合方向の反対側への移動を規制する規制部が設けられ、
前記規制部は、前記カバー部材の前記相手ハウジングと前記サブハウジングとの嵌合方向と直交する方向の両端側に少なくともそれぞれ設けられ、隣り合う前記規制部間には、前記サブハウジングから引き出される電線が配置されることを特徴とするコネクタ。
【請求項２】
請求項１記載のコネクタであって、
前記収容溝は、前記相手ハウジングと前記サブハウジングとの嵌合方向と直交する平面方向のうち少なくとも対向される位置にそれぞれ設けられていることを特徴とするコネクタ。
【発明の詳細な説明】
【技術分野】
【０００１】
本発明は、コネクタに関する。詳細には、相手ハウジングとの調心機能を有するようにフレーム内にサブハウジングが移動可能に配置されたコネクタに関する。
【背景技術】
【０００２】
従来、コネクタとしては、相手ハウジングに嵌合可能なサブハウジングと、このサブハウジングが内部に収容されるフレームとしてのパネルと、このパネルとサブハウジングとの間に設けられサブハウジングの相手ハウジングとの嵌合面を相手ハウジングとの嵌合方向と直交する平面方向に移動可能に配置させる調心手段とを備えたものが知られている（例えば、特許文献１参照）。
【０００３】
このコネクタでは、サブハウジングのパネルの一面側に配置される部分にフレーム基板を一体に設け、パネルにサブハウジングが挿通されるコネクタ挿通孔を設け、サブハウジングがコネクタ挿通孔に挿通された状態で、フレーム基板がパネルの一面に当接される。
【０００４】
このフレーム基板とパネルとには、それぞれ調心手段としての長孔が設けられ、この長孔が互いに直交するように重ね合わされた状態で、それぞれの長孔に調心手段としてのボルトが挿通されて仮締めされる。
【０００５】
このような調心手段は、直交する２つの長孔とボルトとの係合により、サブハウジングがパネルの平面方向に対して移動可能に配置される。これにより、サブハウジングと相手ハウジングとの嵌合時に、相手ハウジングの位置ずれに対してサブハウジングが追従する調心機能を得ることができる。
【先行技術文献】
【特許文献】
【０００６】
【特許文献１】特開平１０−１８９１５６号公報
【発明の概要】
【発明が解決しようとする課題】
【０００７】
ところで、上記特許文献１のようなコネクタでは、サブハウジングと一体に設けられたフレーム基板がパネルの一面側に当接されているので、フレーム基板がパネルに強く押圧される方向である相手ハウジングとサブハウジングとの嵌合方向にサブハウジングが移動する場合、すなわち相手ハウジングとサブハウジングとの嵌合を解除する場合、サブハウジングにかかる外力をフレーム基板とパネルとの当接のような大きな接触面により受けることができる。
【０００８】
しかしながら、上記特許文献１のようなコネクタでは、相手ハウジングとサブハウジングとの嵌合解除方向にサブハウジングが移動する場合、すなわち相手ハウジングとサブハウジングとが嵌合する場合、サブハウジングにかかる外力を調心手段としてのボルトの頭部と長孔の縁部との当接のような小さな接触面によって受けなければならない。
【０００９】
このため、相手ハウジングとサブハウジングとが嵌合する場合には、調心手段としてのボルトが長孔から抜け落ちる恐れがあり、調心手段の調心機能を失うと共に、サブハウジングがフレームの正規位置から移動してしまう恐れがあった。
【００１０】
そこで、この発明は、調心手段の調心機能を保持しつつ、サブハウジングの嵌合と嵌合解除とにおけるフレームに対するサブハウジングの保持を調心手段によって安定化することができるコネクタの提供を目的としている。
【課題を解決するための手段】
【００１１】
請求項１記載の発明は、相手ハウジングに嵌合可能なサブハウジングと、このサブハウジングが内部に収容されるフレームと、このフレームと前記サブハウジングとの間に設けられ前記サブハウジングの前記相手ハウジングとの嵌合面を前記相手ハウジングとの嵌合方向と直交する平面方向に移動可能に配置させる調心手段とを備えたコネクタであって、前記調心手段は、前記サブハウジングと前記フレームとのうちいずれか一方に設けられ前記相手ハウジングと前記サブハウジングとの嵌合方向と直交する平面方向の全域に向けて突出されたフランジ部と、前記サブハウジングと前記フレームとのうち他方に設けられ前記フランジ部が収容されて底部が前記フランジ部の外径と離間して対向し、前記底部の両側に立設された両側壁のいずれかが前記サブハウジングが前記相手ハウジングとの嵌合方向或いは嵌合解除方向に移動しようとするとき前記フランジ部の両面のいずれかと当接される収容溝とを有し、前記フレームは、前記サブハウジングが収容されるフレーム本体と、このフレーム本体に組付けられ前記サブハウジングを保持するカバー部材とを有し、前記カバー部材には、前記サブハウジングの前記相手ハウジングとの嵌合方向の反対側への移動を規制する規制部が設けられ、前記規制部は、前記カバー部材の前記相手ハウジングと前記サブハウジングとの嵌合方向と直交する方向の両端側に少なくともそれぞれ設けられ、隣り合う前記規制部間には、前記サブハウジングから引き出される電線が配置されることを特徴とする。
【００１２】
このコネクタでは、サブハウジングとフレームとのうちいずれか一方に設けられたフランジ部が、サブハウジングとフレームとのうち他方に設けられた収容溝に収容されるので、サブハウジングが嵌合方向、或いは嵌合解除方向に移動しようとしても、フランジ部と収容溝とが係合することによりサブハウジングがフレームから脱落することを防止できる。
【００１３】
また、フランジ部は、相手ハウジングとサブハウジングとの嵌合方向と直交する平面方向の全域に向けて突出されているので、相手ハウジングとサブハウジングとの嵌合時、或いは嵌合解除時に、サブハウジングに対してどちらの方向に外力が加わっても、フランジ部と収容溝との大きな当接面積によってその外力を受けることができ、安定してサブハウジングをフレームに保持することができる。
【００１４】
さらに、収容溝には、収容溝の底部がフランジ部の外径と離間して対向するようにフランジ部が収容されるので、サブハウジングの嵌合面を嵌合方向と直交する平面方向に移動可能に配置させることができ、調心手段の調心機能を保持することができる。
【００１５】
また、調心手段は、フランジ部とこのフランジ部を収容する収容溝とから成るので、ボルトのような他の部材を用いる必要がなく、部品点数を削減でき、構造を簡易化することができる。
【００１６】
従って、このようなコネクタでは、調心手段の調心機能を保持しつつ、サブハウジングの嵌合と嵌合解除とにおけるフレームに対するサブハウジングの保持を調心手段によって安定化することができる。
また、このコネクタでは、カバー部材に、サブハウジングの相手ハウジングとの嵌合方向の反対側への移動を規制する規制部が設けられているので、相手ハウジングとサブハウジングとの嵌合時に、規制部によってサブハウジングをフレーム本体に安定して保持することができる。
また、隣り合う規制部間には、サブハウジングから引き出される電線が配置されるので、規制部によってサブハウジングをフレーム本体に安定して保持しつつ、規制部が電線と干渉することがなく、フレーム内の配置スペースの自由度を向上することができる。
【００１７】
請求項２記載の発明は、請求項１記載のコネクタであって、前記収容溝は、前記相手ハウジングと前記サブハウジングとの嵌合方向と直交する平面方向のうち少なくとも対向される位置にそれぞれ設けられていることを特徴とする。
【００１８】
このコネクタでは、収容溝が、相手ハウジングとサブハウジングとの嵌合方向と直交する平面方向のうち少なくとも対向される位置にそれぞれ設けられているので、調心手段による調心機能と、サブハウジングの保持機能とを保持しつつ、収容溝を設ける部分を最小限に抑えることができ、サブハウジング、或いはフレームの剛性を保持することができる。
【発明の効果】
【００２２】
本発明によれば、調心手段の調心機能を保持しつつ、サブハウジングの嵌合と嵌合解除とにおけるフレームに対するサブハウジングの保持を調心手段によって安定化することができるコネクタを提供することができるという効果を奏する。
【図面の簡単な説明】
【００２３】
【図１】本発明の実施の形態に係るコネクタのフレームの一部を断面とした斜視図である。
【図２】本発明の実施の形態に係るコネクタのフレームの一部を断面とした側面図である。
【図３】本発明の実施の形態に係るコネクタの断面図である。
【図４】本発明の実施の形態に係るコネクタのフレームの断面図である。
【図５】（ａ）は本発明の実施の形態に係るコネクタのカバー部材の斜視図である。（ｂ）は本発明の実施の形態に係るコネクタのカバー部材の正面図である。（ｃ）は本発明の実施の形態に係るコネクタのカバー部材の側面図である。
【図６】本発明の実施の形態に係るコネクタのサブハウジングの斜視図である。
【発明を実施するための形態】
【００２４】
図１〜図６を用いて本発明の実施の形態に係るコネクタについて説明する。
【００２５】
本実施の形態に係るコネクタ１は、相手ハウジングに嵌合可能なサブハウジング３と、このサブハウジング３が内部に収容されるフレーム５と、このフレーム５とサブハウジング３との間に設けられサブハウジング３の相手ハウジングとの嵌合面７を相手ハウジングとの嵌合方向と直交する平面方向に移動可能に配置させる調心手段９とを備えている。
【００２６】
そして、調心手段９は、サブハウジング３に設けられ相手ハウジングとサブハウジング３との嵌合方向と直交する平面方向の全域に向けて突出されたフランジ部１１と、フレーム５に設けられフランジ部１１が収容されて底部１３がフランジ部１１の外径と離間して対向する収容溝１５とを有する。
【００２７】
また、収容溝１５は、相手ハウジングとサブハウジング３との嵌合方向と直交する平面方向のうち少なくとも対向される位置にそれぞれ設けられている。
【００２８】
さらに、フレーム５は、サブハウジング３が収容されるフレーム本体２１と、このフレーム本体２１に組付けられサブハウジング３を保持するカバー部材２３とを有する。
【００２９】
また、カバー部材２３には、サブハウジング３の相手ハウジングとの嵌合方向の反対側への移動を規制する規制部３１が設けられ、規制部３１は、カバー部材２３の相手ハウジングとサブハウジング３との嵌合方向と直交する方向の両端側にそれぞれ設けられている。
【００３０】
さらに、隣り合う規制部３１，３１間には、サブハウジング３から引き出される電線３３が配置される。
【００３１】
図１〜図６に示すように、サブハウジング３は、合成樹脂などの絶縁性材料からなり、筐体状に形成され、内部に電源や機器などに接続された電線３３の端末部に接続された端子（不図示）が収容されている。
【００３２】
このサブハウジング３は、一端側が相手ハウジング（不図示）と嵌合可能な嵌合面７となっており、相手ハウジングと嵌合することによって、内部に収容された端子と相手ハウジングに収容された相手端子（不図示）とが電気的に接続される。
【００３３】
このようなサブハウジング３は、フレーム５の挿入開口部１７からフレーム５内に収容され、嵌合面７がフレーム５の嵌合開口部１９と位置が合うように、フレーム５内に保持される。
【００３４】
フレーム５は、合成樹脂などの絶縁性材料からなり、内部にサブハウジング３が収容されるフレーム本体２１と、フレーム本体２１に収容されたサブハウジング３を保持するカバー部材２３とを備えている。
【００３５】
フレーム本体２１は、筐体状に形成され、サブハウジング３を内部に収容させるための挿入開口部１７と、サブハウジング３と相手ハウジングとを嵌合させるための嵌合開口部１９とが設けられている。
【００３６】
挿入開口部１７は、フレーム本体２１の上面に設けられ、フレーム本体２１の内部と外部とを連通するように開口されている。
【００３７】
この挿入開口部１７には、サブハウジング３が嵌合面７側から挿入され、サブハウジング３の嵌合面７が嵌合開口部１９と位置が合うように、サブハウジング３がフレーム本体２１内に収容される。
【００３８】
嵌合開口部１９は、挿入開口部１７と異なるフレーム本体２１の側面に設けられ、フレーム本体２１の内部と外部とを連通するように開口されている。
【００３９】
この嵌合開口部１９には、サブハウジング３がフレーム５内に収容された状態で、サブハウジング３の嵌合面７が開口面と平行となるように、サブハウジング３の嵌合面７が位置を合わせて配置される。
【００４０】
このサブハウジング３の嵌合面７が配置された嵌合開口部１９には、フレーム５の外部から嵌合開口部１９に向けて相手ハウジングが挿入され、相手ハウジングとサブハウジング３とが嵌合し、相手ハウジングに収容された相手端子とサブハウジング３に収容された端子とが電気的に接続される。
【００４１】
ここで、フレーム本体２１内には、挿入開口部１７から挿入されたサブハウジング３をフレーム本体２１内で傾斜させ、サブハウジング３の嵌合面７と嵌合開口部１９との位置を合わせるために、挿入開口部１７と嵌合開口部１９との間に、傾斜部２５と、湾曲部２７とが設けられている。
【００４２】
傾斜部２５は、上面に挿入開口部１７が設けられたフレーム本体２１の内壁面からフレーム本体２１の内部に向けて突設され、挿入開口部１７から嵌合開口部１９側に向けて直線的に傾斜された傾斜面を有する。
【００４３】
なお、傾斜部２５のフレーム本体２１の内壁面からの突出量は、サブハウジング３の外周面から突設された後述するフランジ部１１の突出量と同等以下になるように設定されている。
【００４４】
この傾斜部２５は、挿入開口部１７から挿入されるサブハウジング３のフランジ部１１と摺動し、サブハウジング３の嵌合面７が嵌合開口部１９側を向くように、サブハウジング３をフレーム本体２１内で傾斜させる。
【００４５】
湾曲部２７は、傾斜部２５と対向して配置され、傾斜部２５が設けられたフレーム本体２１の内壁面からフレーム本体２１の内部に向けて突設され、傾斜部２５に向けて突出する円弧状に湾曲された湾曲面を有する。
【００４６】
なお、湾曲部２７のフレーム本体２１の内壁面からの突出量は、傾斜部２５と同様に、サブハウジング３のフランジ部１１の突出量と同等以下になるように設定されている。
【００４７】
この湾曲部２７は、サブハウジング３のフランジ部１１と傾斜部２５とが摺動し、サブハウジング３がある程度傾いたとき、サブハウジング３のフランジ部１１と摺動し、サブハウジング３の嵌合面７と嵌合開口部１９との位置が合うように、フレーム本体２１内でのサブハウジング３の傾きを補正する。
【００４８】
なお、傾斜部２５と湾曲部２７とは、フレーム本体２１の内壁面のうち後述する収容溝１５の両端部に位置する両内壁面２９（片側のみ図示）にそれぞれ設けられている。
【００４９】
このように傾斜部２５と湾曲部２７とによって、サブハウジング３の嵌合面７とフレーム本体２１の嵌合開口部１９との位置が合った状態で、サブハウジング３をフレーム本体２１に収容させた後、フレーム本体２１の挿入開口部１７側にカバー部材２３を組付けることによって、サブハウジング３がフレーム本体２１内に保持される。
【００５０】
カバー部材２３は、長方形状に形成され、フレーム本体２１の挿入開口部１７から組付けられることにより、フレーム本体２１内に収容されたサブハウジング３の上面側を保持する。
【００５１】
なお、カバー部材２３は、ボルトや互いに係合する係合部などの固定手段（不図示）を介してフレーム本体２１に固定される。このカバー部材２３には、規制部３１が設けられている。
【００５２】
規制部３１は、カバー部材２３の相手ハウジングとサブハウジング３との嵌合方向と直交する方向（カバー部材２３の長さ方向）の両端側にそれぞれ一対設けられている。
【００５３】
この規制部３１，３１は、カバー部材２３がフレーム本体２１に組付けられた状態で、サブハウジング３の嵌合面７と反対側の面と当接可能に対向して配置され、サブハウジング３の相手ハウジングとの嵌合方向の反対側への移動を規制する。
【００５４】
このようにカバー部材２３に規制部３１，３１を設けることにより、相手ハウジングとサブハウジング３との嵌合時において、サブハウジング３の嵌合方向と反対側（フレーム５の内部側）への移動を規制でき、相手ハウジングとサブハウジング３との嵌合を安定して行うことができる。
【００５５】
このような隣り合う規制部３１，３１間には、サブハウジング３から引き出された電線３３が配置され、カバー部材２３によって電線３３のフレーム本体２１からの浮き上がりを防止するように電線３３の配索状態を保持して、電線３３がフレーム５の外部に引き出されている。
【００５６】
このように隣り合う規制部３１，３１間に電線３３を配置させることにより、規制部３１が電線３３と干渉することがなく、サブハウジング３が収容されたフレーム本体２１に対して容易にカバー部材２３を組付けることができる。
【００５７】
加えて、規制部３１，３１間に空間を設けることにより、電線３３が配置される配置スペースなどのように利用することができ、フレーム５内の配置レイアウトの自由度を向上することができる。
【００５８】
このようなフレーム本体２１とカバー部材２３とからなるフレーム５内に収容されたサブハウジング３は、フレーム５とサブハウジング３との間に設けられた調心手段９によって、サブハウジング３の嵌合面７側がフレーム５の嵌合開口部１９内で、相手ハウジングとの嵌合方向と直交する平面方向に移動可能に配置されている。
【００５９】
調心手段９は、サブハウジング３に設けられたフランジ部１１と、フレーム５に設けられた収容溝１５とからなり、相手ハウジングとサブハウジング３との嵌合における調心機能と、相手ハウジングとサブハウジング３との嵌合及び嵌合解除におけるフレーム５に対するサブハウジング３の保持機能とを有する。
【００６０】
フランジ部１１は、サブハウジング３の嵌合面７と反対側の端部の外周面にサブハウジング３と連続する一部材で、サブハウジング３の外周の周方向に連続し、サブハウジング３の外周面から外方に向けて突出するように形成されている。
【００６１】
すなわち、フランジ部１１は、サブハウジング３の外周面において、相手ハウジングとサブハウジング３との嵌合方向と直交する平面方向の全域に向けて突出されている。このフランジ部１１は、サブハウジング３がフレーム５内に収容された状態で、フレーム５に設けられた収容溝１５内に収容される。
【００６２】
収容溝１５は、フレーム本体２１の挿入開口部１７と対向する底壁にフレーム本体２１の長さ方向に沿って設けられると共に、カバー部材２３のサブハウジング３と対向する側の面にカバー部材２３の長さ方向に沿って設けられている。
【００６３】
この収容溝１５，１５は、その深さが、サブハウジング３の外周面から突設されたフランジ部１１の突出量より、深くなるように設定されている。
【００６４】
なお、フレーム本体２１に設けられた収容溝１５は、傾斜部２５と湾曲部２７との間に位置しており、サブハウジング３の嵌合面７と嵌合開口部１９との位置が合ったときに、サブハウジング３のフランジ部１１が収容され、フレーム本体２１に対するサブハウジング３の収容状態を保持する。
【００６５】
このフレーム本体２１に設けられた収容溝１５とカバー部材２３に設けられた収容溝１５とは、カバー部材２３がフレーム本体２１に組付けられたときに、サブハウジング３を挟んで対向して配置される。
【００６６】
このとき、収容溝１５，１５には、サブハウジング３のフランジ部１１が収容される。この収容溝１５，１５にフランジ部１１が収容された状態では、収容溝１５，１５の底部１３，１３とフランジ部１１の外径とが隙間を持って対向するように離間して配置される。
【００６７】
なお、フランジ部１１が収容溝１５，１５に収容された状態では、フレーム５の傾斜部２５と湾曲部２７とが形成された両内壁面２９（片側のみ図示）とこの両内壁面２９と対向するフランジ部１１の外径との間に、収容溝１５の底部１３とフランジ部１１の外径との間に形成された隙間と同等の隙間が形成されている。
【００６８】
このようにフランジ部１１を収容溝１５，１５内に収容することにより、フレーム５内において、サブハウジング３が相手ハウジングとの嵌合方向と直交する平面方向に移動可能に配置される。
【００６９】
このように嵌合方向と直交する平面方向に移動可能に配置されたサブハウジング３は、相手ハウジングと嵌合するときに相手ハウジングの嵌合位置がずれていたとしても、相手ハウジングの位置ずれに対してサブハウジング３が追従し、相手ハウジングと正規に嵌合することができる。
【００７０】
このように調心手段９は、サブハウジング３に対して、相手ハウジングとサブハウジング３とが正規に嵌合することができる調心機能を持たせることができる。
【００７１】
一方、調心手段９は、サブハウジング３のフランジ部１１がフレーム５の収容溝１５内に収容された構造であるので、サブハウジング３が相手ハウジングとの嵌合方向、或いは嵌合解除方向に移動しようとするとき、フランジ部１１の両面が収容溝１５の両側壁にそれぞれ当接される。
【００７２】
このようにフランジ部１１の両面が収容溝１５の両側壁にそれぞれ当接することにより、相手ハウジングとサブハウジング３との嵌合時、或いは嵌合解除時に、サブハウジング３の嵌合方向、或いは嵌合解除方向への移動が規制され、サブハウジング３がフレーム５の正規位置で保持される。
【００７３】
このように調心手段９は、サブハウジング３に対して、サブハウジング３をフレーム５の正規な位置に保持することができる保持機能を持たせることができる。
【００７４】
この調心手段９の保持機能を成すフランジ部１１の両面と収容溝１５の両側壁との当接は、その接触面積が、ボルトの頭部と長孔の縁部との当接における接触面積と比較して、遙かに大きなものとなっている。
【００７５】
このため、調心手段９は、サブハウジング３の嵌合方向と嵌合解除方向とのいずれの方向への移動に対しても、その移動による外力を大きな接触面積で受けることができ、サブハウジング３をフレーム５の正規な位置に安定して保持することができる。
【００７６】
このようなコネクタ１では、サブハウジング３に設けられたフランジ部１１が、フレーム５に設けられた収容溝１５に収容されるので、サブハウジング３が嵌合方向、或いは嵌合解除方向に移動しようとしても、フランジ部１１と収容溝１５とが係合することによりサブハウジング３がフレーム５から脱落することを防止できる。
【００７７】
また、フランジ部１１は、相手ハウジングとサブハウジング３との嵌合方向と直交する平面方向の全域に向けて突出されているので、相手ハウジングとサブハウジング３との嵌合時、或いは嵌合解除時に、サブハウジング３に対してどちらの方向に外力が加わっても、フランジ部１１と収容溝１５との大きな当接面積によってその外力を受けることができ、安定してサブハウジング３をフレーム５に保持することができる。
【００７８】
さらに、収容溝１５には、収容溝１５の底部１３がフランジ部１１の外径と離間して対向するようにフランジ部１１が収容されるので、サブハウジング３の嵌合面７を嵌合方向と直交する平面方向に移動可能に配置させることができ、調心手段９の調心機能を保持することができる。
【００７９】
また、調心手段９は、フランジ部１１とこのフランジ部１１を収容する収容溝１５とから成るので、ボルトのような他の部材を用いる必要がなく、部品点数を削減でき、構造を簡易化することができる。
【００８０】
従って、このようなコネクタ１では、調心手段９の調心機能を保持しつつ、サブハウジング３の嵌合と嵌合解除とにおけるフレーム５に対するサブハウジング３の保持を調心手段９によって安定化することができる。
【００８１】
また、収容溝１５は、相手ハウジングとサブハウジング３との嵌合方向と直交する平面方向のうち少なくとも対向される位置であるフレーム本体２１とカバー部材２３とにそれぞれ設けられているので、調心手段９による調心機能と、サブハウジング３の保持機能とを保持しつつ、収容溝１５を設ける部分を最小限に抑えることができ、フレーム５の剛性を保持することができる。
【００８２】
カバー部材２３には、サブハウジング３の相手ハウジングとの嵌合方向の反対側への移動を規制する規制部３１が設けられているので、相手ハウジングとサブハウジング３との嵌合時に、規制部３１によってサブハウジング３をフレーム本体２１に安定して保持することができる。
【００８３】
また、隣り合う規制部３１，３１間には、サブハウジング３から引き出される電線３３が配置されるので、規制部３１，３１によってサブハウジング３をフレーム本体２３に安定して保持しつつ、規制部３１，３１が電線３３と干渉することがなく、フレーム５内の配置スペースの自由度を向上することができる。
【００８４】
なお、本発明の実施の形態に係るコネクタでは、フランジ部がサブハウジングに設けられ、収容溝がフレームに設けられているが、これに限らず、フランジ部をフレームに設け、収容溝をサブハウジングに設けてもよい。
【００８５】
また、収容溝は、フレームのフレーム本体とカバー部材とにそれぞれ設けられているが、これに限らず、フレームの内壁面の全周にわたって収容溝を設ける、フレーム本体の傾斜部と湾曲部とが設けられた両内壁面のみに設けるなど、少なくとも嵌合方向と直交する平面方向のうち少なくとも対向される位置であれば、収容溝を設ける位置はどのような位置であってもよい。
【００８６】
収容溝をフレーム本体の傾斜部と湾曲部とが設けられた両内壁面のみに設ける場合には、フレーム本体の底壁及びカバー部材の内壁面とフランジ部の外径との間に形成される隙間を、収容溝の底部とフランジ部の外径との間に形成される隙間と同等に設定すればよい。
【００８７】
さらに、フレームには、フレーム内でサブハウジングを傾斜させるための傾斜部と湾曲部とが設けられているが、例えば、挿入開口部からサブハウジングを傾斜させた状態でフレーム内にサブハウジングを挿入できる場合などでは、フレームに傾斜部と湾曲部とを設ける必要はない。
【００８８】
また、規制部は、カバー部材に２つ設けられているが、これに限らず、カバー部材の嵌合方向と直交する方向の両端側に少なくとも２つ規制部が設けられていれば、規制部をカバー部材に２つ以上設けてもよい。
【符号の説明】
【００８９】
１…コネクタ
３…サブハウジング
５…フレーム
７…嵌合面
９…調心手段
１１…フランジ部
１３…底部
１５…収容溝
２１…フレーム本体
２３…カバー部材
３１…規制部
３３…電線
【図１】
0006611307.tif 000002
【図２】
0006611307.tif 000003
【図３】
0006611307.tif 000004
【図４】
0006611307.tif 000005
【図５】
0006611307.tif 000006
【図６】
0006611307.tif 000007